(57)【要約】【課題】光ファイバを取り外すことなく、光ファイバの劣化判定を行う電力変換装置の検査方法を提供する。【解決手段】実施形態に係る電力変換装置の検査方法は、複数のサイリスタを含む他励式の電力変換器と、光ファイバと、前記前記光ファイバから伝送された光信号を電気信号に変換して電気信号として出力する光電変換回路を含むゲート制御装置と、を有する電力変換装置の検査方法である。この検査方法は、交流信号発生装置によって、前記複数のサイリスタのうちの１つの主端子間に交流電圧を印加し、前記光変換回路によって、前記交流電圧を光信号に変換し、前記光電変換回路によって、前記光信号を前記電気信号に変換し、波形観測装置によって、前記電気信号の振幅および時間幅がそれぞれ所定値を満たすか否かを判定する。【選択図】図１
2019041500.tif 000002
【特許請求の範囲】
【請求項１】
直列に接続された複数のサイリスタと、前記複数のサイリスタのそれぞれの主端子間の電圧を検出して光信号に変換する光変換回路と、を含む電力変換器と、
前記光信号を伝送する光ファイバと、
前記光ファイバから伝送された光信号を電気信号に変換して出力する光電変換回路を含むゲート制御装置と、
を有する電力変換装置の検査方法であって、
交流信号発生装置によって、前記複数のサイリスタのうちの１つの主端子間に交流電圧を印加し、
前記光変換回路によって、前記交流電圧を光信号に変換し、
前記光電変換回路によって、前記光信号を前記電気信号に変換し、
波形観測装置によって、前記電気信号の振幅および時間幅がそれぞれ所定値を満たすか否かを判定する電力変換装置の検査方法。
【請求項２】
直列に接続された複数のサイリスタと、前記複数のサイリスタのそれぞれの主端子間の電圧を検出して前記複数のサイリスタのそれぞれに対応した光信号に変換する光変換回路と、を含む電力変換器と、
前記光信号を伝送する光ファイバと、
前記光ファイバから伝送された光信号を電気信号に変換して出力する光電変換回路と、前記複数のサイリスタのそれぞれに対応した前記電気信号の論理演算を行う論理回路と、を含むゲート制御装置と、
を有する電力変換装置の検査方法であって、
交流信号発生装置によって、前記複数のサイリスタの直列接続体の両端に交流電圧を印加し、
前記光変換回路によって、前記交流電圧を光信号に変換し、
前記光電変換回路によって、前記光信号を前記電気信号に変換し、
波形観測装置によって、前記論理回路の出力信号の振幅および時間幅が所定値を満たすか否かを判定する電力変換装置の検査方法。
【請求項３】
前記光電変換回路は、入力された前記光信号を、前記光信号の振幅および時間幅に応じた方形波に変換する方形波整形回路を含み、
前記論理回路は、前記方形波整形回路から出力される方形波信号の論理和および論理積をそれぞれ出力する請求項２記載の電力変換装置の検査方法。
【請求項４】
前記複数のサイリスタは、２以上のグループを含み、
前記論理回路は、
前記２以上のグループのうちの１つのグループについて、
前記複数のサイリスタのうち前記１つのグループに含まれるそれぞれのサイリスタに対応した前記電気信号の論理演算を行い、
前記グループのうちの他の１つのグループについて、
前記複数のサイリスタのうち前記他の１つのグループに含まれるそれぞれのサイリスタに対応した前記電気信号の論理演算を行う請求項２または３に記載の電力変換装置の検査方法。
【発明の詳細な説明】
【技術分野】
【０００１】
本発明の実施形態は、電力変換装置の検査方法に関する。
【背景技術】
【０００２】
電力系統等に用いられる電力変換装置は、長期間の使用に耐えるために、高い信頼性が求められる。高信頼性を維持するために、保守点検作業が欠かせない。保守点検作業を実施している間は、その電力変換装置は停止状態となり、その電力変換装置によって電力供給される系統は、他の系統に代替等される必要がある。電力需給の状況によっては、停止している期間は、極力短縮する必要がある。また、検査のための作業工数の観点からは、短時間で保守点検作業を完了することが望まれる。
【０００３】
たとえば、他励式の交直電力変換装置の場合には、サイリスタの順方向動作および逆阻止動作を検出するＦＶ信号およびＲＶ信号を光信号に変換し光ファイバによってゲート制御装置に送信する。これによって、ゲート制御装置では、各サイリスタの順方向動作および逆阻止動作を監視し、これらにもとづいて適切なゲート駆動信号を生成する。
【０００４】
高電圧出力する電力変換装置では、多数のサイリスタを直列接続するため、これらのサイリスタに対応する本数の光ファイバが接続されており、保守点検においては、これら多数の光ファイバの劣化状況等を検査する必要がある。従来、検査すべき光ファイバは、保守点検時にすべて取り外して、１本１本劣化の程度を確認し、劣化不良と判定されたものについては、良品に交換し、良品と判定されたものとともに再度装置に接続する。
【０００５】
上述のように、光ファイバは、サイリスタの個数×信号本数分あり、取り外し作業や再接続作業に膨大な時間を要する。また、光ファイバを脱着する場合に、光ファイバを破損するおそれもあり、信頼性を確保するには、さらに慎重な作業が必要となり、交換作業に要する時間が長くなる傾向にある。
【先行技術文献】
【特許文献】
【０００６】
【特許文献１】特開２０１１−２０５８１２号公報
【発明の概要】
【発明が解決しようとする課題】
【０００７】
実施形態は、光ファイバを取り外すことなく、光ファイバの劣化判定を行う電力変換装置の検査方法を提供する。
【課題を解決するための手段】
【０００８】
実施形態に係る電力変換装置の検査方法は、直列に接続された複数のサイリスタと、前記複数のサイリスタのそれぞれの主端子間の電圧を検出して光信号に変換する光変換回路と、を含む電力変換器と、前記光信号を伝送する光ファイバと、前記光ファイバから伝送された光信号を電気信号に変換して電気信号として出力する光電変換回路を含むゲート制御装置と、を有する電力変換装置の検査方法である。交流信号発生装置によって、前記複数のサイリスタのうちの１つの主端子間に交流電圧を印加し、前記光変換回路によって、前記交流電圧を光信号に変換し、前記光電変換回路によって、前記光信号を前記電気信号に変換し、波形観測装置によって、前記電気信号の振幅および時間幅がそれぞれ所定値を満たすか否かを判定する。
【発明の効果】
【０００９】
本実施形態では、電力変換器の光変換回路を交流信号発生装置で駆動し、光ファイバで伝送された光信号を、ゲート制御装置の光電変換回路によって電気信号に変換して出力波形を観測するので、光ファイバを機器から取り外すことなく、光ファイバの劣化判定を行うことができる。
【図面の簡単な説明】
【００１０】
【図１】第１の実施形態に係る電力変換装置の検査方法を例示するブロック図である。
【図２】図２（ａ）〜図２（ｃ）は、第１の実施形態の電力変換装置の検査方法における判定基準の例を説明するための模式的な波形図である。
【図３】図３（ａ）〜図３（ｆ）は、第１の実施形態の電力変換装置の検査方法における判定基準の例を説明するための模式的な波形図である。
【図４】第２の実施形態に係る電力変換装置の検査方法を例示するブロック図である。
【図５】図５（ａ）〜図５（ｄ）は、第２の実施形態の電力変換装置の検査方法における判定基準の例を説明するための模式的な波形図である。
【図６】図６（ａ）〜図６（ｄ）は、第２の実施形態の電力変換装置の検査方法における判定基準の例を説明するための模式的な波形図である。
【図７】第３の実施形態に係る電力変換装置の検査方法を例示するブロック図である。
【図８】第３の実施形態の電力変換装置の検査方法を説明するためのフローチャートの例である。
【図９】図９（ａ）〜図９（ｃ）は、第３の実施形態の電力変換装置の検査方法における判定基準を説明するための模式的な波形図である。
【発明を実施するための形態】
【００１１】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１２】
（第１の実施形態）
図１は、本実施形態に係る電力変換装置の検査方法を例示するブロック図である。
図１に示すように、電力変換装置１０は、電力変換器２０と、光ファイバ３０−１〜３０−ｎと、ゲート制御装置５０と、を有する。電力変換器２０およびゲート制御装置５０は、ｎ（ｎは２以上の整数）本の光ファイバ３０−１〜３０−ｎにより接続されている。電力変換装置１０は、ゲート制御装置５０によって電力変換器２０を位相制御して、交流電力を直流電力に変換し、直流電力を交流電力に変換する。
【００１３】
電力変換器２０は、アームＡ０を含む。アームＡ０は、直列に接続された複数のサイリスタＴＨ１〜ＴＨｎを含む。この例では、サイリスタの個数はｎ個としている。電力変換器２０は、他励式の変換器であり、ゲート制御装置５０で生成されるゲート信号を、図示しないゲート信号用の光ファイバを介して複数のサイリスタＴＨ１〜ＴＨｎを駆動する。
【００１４】
アームＡ０は、サイリスタＴＨ１〜ＴＨｎごとのアノード端子およびカソード端子にそれぞれ接続された接続端子２１−１ａ，２１−１ｂ，…，２１−ｎａ，２１−ｎｂを含む。接続端子２１−１ａ，２１−１ｂ，…，２１−ｎａ，２１−ｎｂの対には、交流信号発生装置１を接続することができる。各サイリスタＴＨ１〜ＴＨｎのアノードカソード間には、接続端子２１−１ａ，２１−１ｂ，…，２１−ｎａ，２１−ｎｂを介して接続された交流信号発生装置１によって供給される交流信号ｖｓを印加することができる。交流信号ｖｓは、たとえば商用周波数（５０Ｈｚまたは６０Ｈｚ）の正弦波の交流電圧を有する信号である。
【００１５】
電力変換器２０は、光変換回路２２−１〜２２−ｎを含む。光変換回路２２−１〜２２−ｎは、サイリスタＴＨ１〜ＴＨｎにそれぞれ接続されている。より具体的には、光変換回路２２−１は、サイリスタＴＨ１のアノードカソード間電圧を入力して、光信号に変換し、光信号を光ファイバ３０−１に供給する。他の光変換回路についてもそれぞれ同様に接続され動作する。
【００１６】
光ファイバ３０−１〜３０−ｎは、それぞれの一端が電力変換器２０の光変換回路２２−１〜２２−ｎに接続されている。光ファイバ３０−１〜３０−ｎは、それぞれの他端がゲート制御装置５０に接続されている。
【００１７】
ゲート制御装置５０は、光電変換回路５２−１〜５２−ｎを含む。光ファイバ３０−１〜３０−ｎの他端は、光電変換回路５２−１〜５２−ｎの入力にそれぞれ接続されている。光電変換回路５２−１〜５２−ｎは、光ファイバ３０−１〜３０−ｎを介して、それぞれ送信された光信号を電気信号に変換し、所定の変換処理を行って出力する。所定の変換処理は、たとえば任意の入力信号を方形波の電圧信号や電流信号に変換する。
【００１８】
光電変換回路５２−１〜５２−ｎは、信号出力端子５３−１〜５３−ｎを含む。信号出力端子５３−１〜５３−ｎには、波形観測装置２を接続することができる。波形観測装置２は、信号出力端子５３−１〜５３−ｎを介して、光電変換回路５２−１〜５２−ｎから出力される信号を観測することができる。
【００１９】
本実施形態の電力変換装置の検査方法の動作について説明する。本実施形態の電力変換装置の検査方法では、以下の手順によって光ファイバ３０−１〜３０−ｎの劣化の有無を判定する。
【００２０】
まず、交流信号発生装置１によって交流信号ｖｓをサイリスタＴＨ−１〜ＴＨ−ｎのうちのいずれか１つのサイリスタＴＨ−ｘ（以下、１≦ｘ≦ｎとする。）のアノードカソード間に接続端子２１−ｘａ，２１−ｘｂを介して印加する。
【００２１】
印加された交流信号ｖｓは、対応する光変換回路２２−ｘに入力され、光信号に変換される。
【００２２】
変換された光信号は、対応する光ファイバ３０−ｘによって、光ファイバ３０−ｘの一端から他端へ伝送される。
【００２３】
光ファイバ３０−ｘによって伝送された光信号は、光ファイバ３０−ｘの他端に接続された光電変換回路５２−ｘによって電気信号に変換され、所定の変換処理によってたとえば方形波の電圧信号に変換される。
【００２４】
変換された電圧信号は、対応する信号出力端子５３−ｘから出力され、波形観測装置２によって観測される。印加された交流信号ｖｓに対する変換後の信号の形状等をあらかじめ設定することによって、対応する光ファイバの劣化検出を行うことができる。
【００２５】
交流信号発生装置１を他のサイリスタＴＨ−ｙ（以下、１≦ｙ≦ｎ，ｙ≠ｘとする。）のアノードカソード間に接続を切り替え、波形観測装置２を対応する信号出力端子５３−ｙに接続を切り替える。対応する光変換回路２２−ｙ、光ファイバ３０−ｙ、光電変換回路５２−ｙを介して、印加された交流信号ｖｓおよび出力の電圧信号の関係から光ファイバ３０−ｙの劣化判定を行う。
【００２６】
上述の手順をすべての光ファイバ３０−１〜３０−ｎに対して繰り返す。
【００２７】
なお、サイリスタＴＨ−１〜ＴＨ−ｎのアノードカソード間の電圧は、順方向の電圧および逆阻止電圧の両方について検出され、それぞれ光ファイバを介してゲート制御装置５０に伝送される。順方向の電圧に関しては、ＦＶ信号、逆阻止電圧についてはＲＶ信号として、検出され伝送される。つまり、これらの信号を伝送する光ファイバは、サイリスタ１つ当たりＦＶ信号用およびＲＶ信号用の２本設けられている。本実施形態の説明では、ＦＶ信号用およびＲＶ信号用は、それぞれ同様に扱うことができるので、以下では、ＦＶ信号用の光ファイバに関連する事項について説明する。以下の説明は、ＲＶ信号用の光ファイバについても同様に適用することができる。
【００２８】
以下では、光ファイバの劣化判定の基準の例について説明する。
図２（ａ）〜図３（ｆ）は、本実施形態の電力変換装置の検査方法における判定基準の例を説明するための模式的な波形図である。
図２（ａ）の上段の図は、交流信号発生装置１から出力される交流信号ｖｓの波形の時間変化を示している。下段の図は、ゲート制御装置５０の光電変換回路５２−ｘの信号出力端子５３−ｘにおけるＦＶ信号の波形の時間変化を示している。以後、波形図については同様である。
図２（ａ）〜図２（ｃ）では、光ファイバの光量の劣化の判定基準において良品と判定される場合の波形図が示されている。
図３（ａ）〜図３（ｆ）では、光ファイバの光量の劣化の判定基準において劣化ありと判定される場合の波形図が示されている。
【００２９】
ここで説明する例では、交流信号発生装置１から出力される交流信号ｖｓのピーク値の判定下限値ｖｓ１および判定上限値ｖｓ２があらかじめ設定されている。また、ＦＶ信号についてのパルス幅の規定値Ｔｓｐｅｃがあらかじめ設定されている。交流信号ｖｓのピーク値を次第に大きくした場合に、ＦＶ信号のパルス幅が広がり、規定値Ｔｓｐｅｃとなったときの交流信号ｖｓのピーク値によって光ファイバの良否判定を行う。良品と判定されるのは、ＦＶ信号のパルス幅が規定値Ｔｓｐｅｃとなったときに、交流信号ｖｓのピーク値が判定下限値ｖｓ１から判定上限値ｖｓ２の範囲にある場合である。劣化ありと判定されるのは、ＦＶ信号のパルス幅が規定値Ｔｓｐｅｃとなったときに、交流信号ｖｓのピーク値が判定下限値ｖｓ１に達しない場合や、交流信号ｖｓのピーク値が判定上限値ｖｓ２を超過する場合である。
【００３０】
図２（ａ）〜図２（ｃ）に示すように、交流信号ｖｓの振幅を大きくした場合に、ＦＶ信号のパルス幅が広がり、規定値Ｔｓｐｅｃに達したときに、交流信号ｖｓのピーク値は、判定下限値ｖｓ１と判定上限値ｖｓ２との間となっている。したがって、このような場合については、光ファイバは良品と判定される。
【００３１】
図３（ａ）〜図３（ｃ）に示すように、交流信号ｖｓの振幅を大きくした場合に、ＦＶ信号のパルス幅が規定値Ｔｓｐｅｃに達したとき（図３（ｃ））には、交流信号ｖｓのピーク値は、判定上限値ｖｓ２を超えており、光ファイバの劣化ありと判定される。
【００３２】
図３（ｄ）〜図３（ｆ）には、伝送される光ファイバが伝送する光量が所望の値よりも大きい場合が示されており、この場合にも光ファイバは劣化と判定される。図３（ｄ）〜図３（ｆ）に示すように、ＦＶ信号のパルス幅が規定値Ｔｓｐｅｃに達したときに（図３（ｄ））、交流信号ｖｓのピーク値が判定下限値ｖｓ１に達しておらず、さらに、交流信号ｖｓの振幅を大きくして、ピーク値が判定下限値ｖｓ１と判定上限値ｖｓ２との間になるようにすると、ＦＶ信号のパルス幅が規定値Ｔｓｐｅｃを超えてしまう（図３（ｅ）および図３（ｆ））。
【００３３】
光ファイバ３０−１〜３０−ｎの劣化判定の基準については上述に限らず、他にも適切に設定することができる。たとえば、出力される信号の歪率をあらかじめ設定したしきい値と比較する等としてもよい。
【００３４】
本実施形態の電力変換装置の検査方法の効果について説明する。
本実施形態の電力変換装置の検査方法では、電力変換器２０内のサイリスタＴＨ１〜ＴＨｎごとに設けられた光変換回路２２−１〜２２−ｎによって、交流信号ｖｓを光信号に変換することができる。そのため、光ファイバ３０−１〜３０−ｎのそれぞれの一端を光変換回路２２−１〜２２−ｎから取り外すことなく、試験用の発光信号を光ファイバ３０−１〜３０−ｎに供給することができる。
【００３５】
そして、ゲート制御装置５０内に光ファイバ３０−１〜３０−ｎに対応するように設けられた光電変換回路５２−１〜５２−ｎの信号出力端子５３−１〜５３−ｎを用いて、光電変換回路５２−１〜５２−ｎから出力される信号を検出することができる。そのため、光ファイバ３０−１〜３０−ｎの他端を光電変換回路５２−１〜５２−ｎから取り外すことなく、光ファイバ３０−１〜３０−ｎから出力される光量を検出することができる。
【００３６】
以上より、本実施形態の電力変換装置の検査方法では、いずれの光ファイバ３０−１〜３０−ｎも電力変換器２０およびゲート制御装置５０から取り外すことなく、光量の劣化の有無を検査することができる。したがって、光ファイバ３０−１〜３０−ｎを取り外し、再度接続することによる作業工数を削減することができる。
【００３７】
本実施形態では、光ファイバの光量の劣化を検査するのに、光ファイバを電力変換器２０およびゲート制御装置５０から取り外し、再接続することがない。そのため、光ファイバの取り扱い時における機械的損傷等を生じることがなく、慎重な作業を行う必要もなくなるので、さらなる作業工数の低減に寄与することができる。
【００３８】
光変換回路２２−１〜２２−ｎや光電変換回路５２−１〜５２−ｎは、電力変換装置１０の通常の動作のために設けられている。したがって、新たに設備の変更や修正を行うことなく、検査方法を実施することができる。
【００３９】
なお、上述では、ＦＶ信号のための光ファイバの光量の劣化検査について説明したが、実際には、これに加えてＲＶ信号のための光ファイバも設けられているので、作業工数の低減効果はさらに大きくなる。
【００４０】
（第２の実施形態）
図４は、本実施形態に係る電力変換装置の検査方法を例示するブロック図である。
図４に示すように、本実施形態の電力変換装置の検査方法では、交流信号発生装置１０１によって、アームＡ０の両端に交流信号ｖｓａを印加する。ゲート制御装置１５０は、論理回路１５３を含む。論理回路１５３は、ＯＲ回路１５３ａと、ＡＮＤ回路１５３ｂと、を含む。
【００４１】
ＯＲ回路１５３ａおよびＡＮＤ回路１５３ｂの入力には、光電変換回路５２−１〜５２−ｎの出力がそれぞれ接続されている。ＯＲ回路１５３ａは、光電変換回路５２−１〜５２−ｎの出力の論理和をとってＦＶＯＲ信号を出力する。ＡＮＤ回路１５３ｂは、光電変換回路５２−１〜５２−ｎの出力の論理積をとってＦＶＡＮＤ信号を出力する。
【００４２】
本実施形態の電力変換装置の検査方法の動作について説明する。本実施形態の電力変換装置の検査方法では、以下の手順によって光ファイバの劣化の有無を判定する。ただし、この実施形態の場合には、ｎ本の光ファイバ３０−１〜３０−ｎのうちの劣化のある光ファイバを特定するのではなく、アーム単位で劣化した光ファイバが存在するか否かを判定する。
【００４３】
まず、交流信号発生装置１０１によって交流信号ｖｓａをアームＡ０の両端に印加する。
【００４４】
印加された信号は、各サイリスタＴＨ−１〜ＴＨ−ｎによって分圧され、分圧された信号は、光変換回路２２−１〜２２−ｎにそれぞれ入力される。光変換回路２２−１〜２２−ｎは、光信号にそれぞれ変換して光ファイバ３０−１〜３０−ｎに供給する。
【００４５】
光ファイバ３０−１〜３０−ｎは、一端から入力された光信号を他端に伝送する。
【００４６】
光電変換回路５２−１〜５２−ｎは、伝送された光信号を所定の形式の電気信号に変換して出力する。
【００４７】
論理回路１５３は、光電変換回路５２−１〜５２−ｎが出力した電気信号の論理和および論理積をとって、それぞれ出力する。論理和であるＦＶＯＲ信号および論理積であるＦＶＡＮＤ信号の形状を、あらかじめ設定された基準と比較して、アームＡ０単位の光ファイバの劣化判定を行う。
【００４８】
ＦＶＡＮＤ信号が劣化判定された場合には、そのアームＡ０中のサイリスタＴＨ−１〜ＴＨ−ｎに対応する光ファイバ３０−１〜３０−ｎの中に、少なくとも１つの劣化判定される光ファイバが含まれる。そのため、アームＡ０のサイリスタＴＨ−１〜ＴＨ−ｎのいずれに対応する光ファイバが劣化しているかについては、別途個別に劣化検査等を行う必要がある。
【００４９】
ＦＶＡＮＤ信号が良品判定となった場合には、そのアームＡ０中のサイリスタＴＨ−１〜ＴＨ−ｎに対応する光ファイバ３０−１〜３０−ｎはすべて良品判定となる。
【００５０】
ＦＶＯＲ信号が劣化判定された場合には、そのアームＡ０中のサイリスタＴＨ−１〜ＴＨ−ｎに対応する光ファイバ３０−１〜３０−ｎはすべて劣化判定となる。
【００５１】
ＦＶＯＲ信号が良品判定となった場合には、そのアームＡ０のサイリスタＴＨ−１〜ＴＨ−ｎに対応する光ファイバのうち少なくとも１本について良品判定されるものが含まれる。そのため、そのアームＡ０に劣化判定品が含まれるか否かについてＦＶＡＮＤ信号の結果等を合わせて確認する必要がある。たとえば、ＦＶＡＮＤ信号により劣化判定された場合には、別途個別に劣化検討を行う必要がある。ＦＶＡＮＤ信号により良品判定された場合には、上述したとおり、アームＡ０内のサイリスタＴＨ−１〜ＴＨ−ｎは、良品となる。
【００５２】
図５（ａ）〜図６（ｄ）は、本実施形態の電力変換装置の検査方法における判定基準の例を説明するための模式的な波形図である。
本実施形態の電力変換装置の検査方法の動作について、図５（ａ）〜図６（ｄ）を用いて説明する。
図５（ａ）の最上段の図は、交流信号発生装置１０１から出力される交流信号ｖｓａの波形の時間変化を示している。２段目の図は、ＯＲ回路１５３ａが出力するＦＶＯＲ信号の波形の時間変化を示している。最下段の図は、ＡＮＤ回路１５３ｂが出力するＦＶＡＮＤ信号の波形の時間変化を示している。以下、図５（ｂ）〜図６（ｄ）の各波形図について同様である。
【００５３】
図５（ａ）〜図５（ｄ）には、光ファイバの光量が良品判定となる場合について、図５（ａ）〜図５（ｄ）の順に、交流信号ｖｓａの振幅を大きくしていった場合のＦＶＯＲ信号およびＦＶＡＮＤ信号の波形が示されている。図５（ａ）では、交流信号ｖｓａが判定下限値ｖｓａ１に達した場合が示されている。図５（ｂ）では、交流信号ｖｓａが判定下限値ｖｓａ１を超えた後に、ＦＶＯＲ信号のパルス幅が規定値Ｔｓｐｅｃに達したことを示している。この例では、ＦＶＡＮＤ信号のパルス幅は、ＦＶＯＲ信号のパルス幅よりも狭い。
【００５４】
ＦＶＯＲ信号は、光電変換回路５２−１〜５２−ｎがそれぞれ出力する方形波信号の論理和である。光電変換回路５２−１〜５２−ｎが出力する信号は、光ファイバ３０−１〜３０−ｎを伝搬してきた光信号である。これらの光信号は、光ファイバ３０−１〜３０−ｎの一端において、光変換回路２２−１〜２２−ｎによって供給される。サイリスタＴＨ−１〜ＴＨ−ｎのオフ時のインピーダンスをすべて等しいとすれば、各サイリスタの両端には、ｖｓａ／ｎの電圧が印加される。
【００５５】
図５（ｂ）に示すように、ＯＲ回路１５３ａは、光電変換回路５２−１〜５２−ｎの出力のうち、もっともパルス幅が広いものを出力する。つまり、図５（ｂ）のＦＶＯＲ信号によって判定されるのは、アームＡ０内のいくつかのサイリスタに対応する光ファイバの光量の劣化が良品のレベルであるということである。
【００５６】
図５（ｃ）および図５（ｄ）に示すように、さらに交流信号ｖｓａのピーク値を増加させると、ＦＶＡＮＤ信号のパルス幅が規定値Ｔｓｐｅｃに達する。ＡＮＤ回路１５３ｂは、光電変換回路５２−１〜５２−ｎの出力のうち、もっともパルス幅が狭いものを出力する。つまり、図５（ｃ）および図５（ｄ）の状態においては、光ファイバが伝送する光量がもっとも小さいものであっても、規定値以上の光量を伝送できることを示している。
【００５７】
図６（ａ）〜図６（ｄ）には、ｎ本のうちいずれか１本以上の光ファイバの光量の伝送に劣化が生じている場合について示している。図６（ａ）〜図６（ｃ）に示すように、ＦＶＯＲ信号は、交流信号ｖｓａが判定下限値ｖｓａ１から判定上限値ｖｓａ２の範囲において、規定値Ｔｓｐｅｃに達している。このことは、ｎ本のうちいずれか１本以上の光ファイバの光量の劣化は良品のレベルであることを示している。
【００５８】
しかし、図６（ｃ）および図６（ｄ）に示すように、ＦＶＡＮＤ信号は、交流信号ｖｓａが判定上限値ｖｓａ２に達しても、規定値Ｔｓｐｅｃに達することがなく、さらに交流信号のピーク値を増大させてはじめて規定値Ｔｓｐｅｃに達している。つまり、このことは、ｎ本の光ファイバのうち１本以上の光ファイバについて、光量に劣化のレベルのものがあることを示している。
【００５９】
論理回路１５３は、ＯＲゲートおよびＡＮＤゲートを用いてハードウェア的に実現してもよいし、プログラムのステップとして論理和および論理積をとるようにしてもよい。
【００６０】
本実施形態の電力変換装置の検査方法の効果について説明する。
本実施形態では、ゲート制御装置５０が論理回路１５３を含んでいることによって、数多くの光ファイバ３０−１〜３０−ｎの光量の劣化の有無について、劣化の大きいものが含まれていない場合を迅速に検出することができる。
【００６１】
光ファイバ３０−１〜３０−ｎの中に光量の劣化の大きいものが含まれていた場合には、ｎ本の光ファイバを全数検査すればよい。光ファイバを全数検査するには、上述した第１の実施形態の場合を適用してもよいし、他の方法を用いてもよい。
【００６２】
電力変換装置には、多数のアームＡ０が設けられている場合があり、また、多数の電力変換装置の光ファイバを検査する場合には、アーム中のサイリスタそれぞれに対応する光ファイバごとに検査を行っていたのでは、検査の効率が低下する。本実施形態の電力変換装置の検査方法では、たとえばアームＡ０ごとに検査を行い、アームＡ０単位で対応する光ファイバの劣化の有無を判定することができる。その後、劣化が大きいと判定された光ファイバが含まれるアームＡ０について詳細検査を行うことで、検査の効率と検査の確実性が保証される。
【００６３】
論理回路１５３の論理和および論理積をプログラムのステップとして実行する場合には、容易に実装することができるので、現状の装置を用いて検査の効率化を実現することができる。
【００６４】
上述した実施形態では、アームＡ０単位で交流信号を印加することとしたが、交流信号の印加単位は、アームＡ０単位に限らない。アームＡ０内のサイリスタＴＨ−１〜ＴＨ−ｎを数個ごとにグループ分けして、そのグループ単位に順次交流信号を印加し、対応する光ファイバの劣化判定を行うようにしてもよい。
【００６５】
（第３の実施形態）
図７は、本実施形態に係る電力変換装置の検査方法を例示するブロック図である。
図７に示すように、本実施形態の電力変換装置の検査方法では、電力変換装置は、上述の他の実施形態の場合と異なるゲート制御装置２５０を有している。ゲート制御装置２５０は、論理回路２５３を含む。論理回路２５３は、ＯＲ回路２５３−１ａ〜２５３−ｍａと、ＡＮＤ回路２５３−１ｂ〜２５３−ｍｂと、を含む。
【００６６】
本実施形態では、アームＡ０は、直列に接続されたｎ個のサイリスタＴＨ−１〜ＴＨ−ｎを含む。アームＡ０は、ｍ（ｍは２以上の整数）個のサイリスタのグループを含んでいる。たとえばこのサイリスタのグループは、サイリスタモジュールである。つまり、アームＡ０は、直列に接続されたｍ個のサイリスタモジュールＭ−１〜Ｍ−ｍを含み、それぞれのサイリスタモジュールには、ｋ（＝ｎ／ｍ）個のサイリスタを含む。
【００６７】
本実施形態では、サイリスタモジュールＭ−１〜Ｍ−ｍごとに、ＯＲ回路およびＡＮＤ回路が接続されている。つまり、サイリスタモジュールＭ−１には、ＯＲ回路２５３−１ａおよびＡＮＤ回路２５３−１ｂが接続され、サイリスタモジュールＭ−ｍには、ＯＲ回路２５３−ｍａおよびＡＮＤ回路２５３−ｍｂが接続されている。
【００６８】
交流信号発生装置１０１は、交流信号ｖｓａを出力する。サイリスタモジュールＭ−１〜Ｍ−ｍの両端に印加される電圧は、各モジュールに含まれるサイリスタの個数によってほぼ設定される。たとえばすべてのサイリスタモジュールＭ−１〜Ｍ−ｍに含まれるサイリスタの個数が同じ場合には、サイリスタモジュールＭ−１〜Ｍ−ｍの両端に印加される電圧はそれぞれ等しい。たとえばサイリスタモジュールの印加電圧は、ｖｓａ／ｍである。以下では、各サイリスタモジュールに等しい電圧が印加されるものとして説明する。
【００６９】
アームＡ０の両端には、交流信号発生装置１０１が接続される。交流信号発生装置１０１は、アームＡ０に電圧信号ｖｓａを供給する。サイリスタモジュールＭ−１〜Ｍ−ｍには、電圧ｖｓｍがそれぞれ印加される。たとえばサイリスタモジュールＭ−１の各サイリスタの両端に印加された電圧によって、対応する光変換回路は、印加された電圧に応じた光量の光を発光する。
【００７０】
対応する光ファイバは、光変換回路の出力光を他端に接続された光電変換回路に伝送する。光電変換回路は、受光した光量に応じたパルス信号を出力する。
【００７１】
光電変換回路が出力するパルス信号は、ＯＲ回路およびＡＮＤ回路にそれぞれ入力される。ＯＲ回路は、入力されたパルス信号のうちもっとも広いパルス幅のパルス信号を出力する。ＡＮＤ回路は、入力されたパルス信号のうちもっとも狭いパルス幅のパルス信号を出力する。
【００７２】
図８は、本実施形態の電力変換装置の検査方法を例示するフローチャートである。
以下では、本実施形態の検査方法を用いて、光ファイバの劣化判定されたサイリスタモジュールを抽出した後、そのサイリスタモジュールについて、すべてのサイリスタに対応する光ファイバの劣化判定を行うことについて説明する。
【００７３】
図８に示すように、本実施形態では、ステップＳ０１において、アームＡ０のサイリスタモジュールごとに対応する光ファイバの光量劣化の判定を行い、劣化と判定されたサイリスタモジュールに対応する光ファイバ群を抽出する。
【００７４】
より具体的には、ステップＳ１１において、交流信号発生装置１０１によって、交流信号ｖｓａをアームＡ０の両端に印加する。出力される交流信号のピーク値を、最小値から最大値の範囲で変化させる。
【００７５】
ステップＳ１２において、光変換回路によって、交流信号を光信号に変換して対応する光ファイバにこの光信号を供給する。
【００７６】
ステップＳ１３において、光ファイバによって、光信号が一端から他端に伝送される。
【００７７】
ステップＳ１４において、光電変換回路によって、伝送された光信号が所定の形式の電気信号に変換される。
【００７８】
ステップＳ１５において、論理回路２５３によって、変換された電気信号すべての論理和および論理積がとられ出力される。波形観測装置２によって、出力された論理和および論理積によって対応するサイリスタモジュールに対応する光ファイバの劣化判定を行う。
【００７９】
次に、ステップＳ０２において、劣化判定され抽出されたサイリスタモジュールを構成するサイリスタそれぞれに対して、交流信号ｖｓを印加して、対応する光ファイバの劣化判定を行う。
【００８０】
より具体的には、ステップＳ２１において、交流信号発生装置１によって、交流信号ｖｓを各サイリスタの両端に順次印加する。
【００８１】
ステップＳ２２において、対応する光変換回路によって、印加された交流信号ｖｓは、光信号に変換される。
【００８２】
ステップＳ２３において、対応する光ファイバによって、変換された光信号は一端から他端へ伝送される。
【００８３】
ステップＳ２４において、光電変換回路によって、伝送されてきた光信号は、電気信号に変換され、所定の変換処理によってたとえば方形波の電圧信号に変換される。
【００８４】
ステップＳ２５において、波形観測装置２によって、変換された電圧信号は、対応する信号出力端子で波形観測される。印加された交流信号ｖｓに対する変換後の信号の形状等をあらかじめ設定することによって、対応する光ファイバの劣化検出を行うことができる。
【００８５】
このようにして、それぞれの光ファイバについて、光量の伝送の劣化の有無が判定される。
【００８６】
上述では、アームＡ０をいくつかのサイリスタモジュールに分割してサイリスタモジュールごとに光量劣化の判定を行うこととした。アームＡ０に含まれるサイリスタの個数が少ない場合等については、アームＡ０を分割せずに光量劣化の判定を行うようにしてもよい。その場合には、上述のステップＳ０１を第２の実施形態の場合で置き換えることによって実現することができる。
【００８７】
図９（ａ）〜図９（ｃ）は、本実施形態の電力変換装置の検査方法における判定基準を説明するための模式的な波形図である。
図９（ａ）〜図９（ｃ）の最上段の図は、各サイリスタの両端に印加される検査用の電圧ｖｓｍの波形の時間変化をそれぞれ示している。２段目の図は、サイリスタモジュールＭ−１に対応するＡＮＤ回路２５３−１ｂが出力するＦＶＡＮＤ信号の波形の時間変化を示している。３段目の図は、サイリスタモジュールＭ−２に対応するＡＮＤ回路２５３−２ｂが出力するＦＶＡＮＤ信号の波形の時間変化を示している。最下段の図は、サイリスタモジュールＭ−ｍに対応するＡＮＤ回路２５３−ｍｂが出力するＦＶＡＮＤ信号の波形の時間変化を示している。
【００８８】
図９（ａ）〜図９（ｃ）に示すように、サイリスタモジュールのうちいくつか（この例では、少なくともサイリスタモジュールＭ−１，Ｍ−２）は、両端に印加された電圧ｖｓｍが最小値ｖｓｍ１〜最大値ｖｓｍ２の範囲で、ＦＶＡＮＤ信号のパルス幅が規定値Ｔｓｐｅｃに達している。そして、この例では、サイリスタモジュールのうちサイリスタモジュールＭ−ｍは、検査電圧ｖｓｍが最大値ｖｓｍ２に達しても、ＦＶＡＮＤ信号のパルス幅が規定値Ｔｓｐｅｃに達していない。つまり、サイリスタモジュールＭ−ｍは、光量の劣化を生じた光ファイバに対応するサイリスタを含んでいる。
【００８９】
なお、図９（ａ）〜図９（ｃ）では、ＦＶＯＲ信号については、図示していないが、ＦＶＯＲ信号のパルス幅が規定値Ｔｓｐｅｃに達しない場合には、そのサイリスタモジュールに含まれるサイリスタに対応する光ファイバのすべてについて光量が劣化したと判定される。
【００９０】
本実施形態の電力変換装置の検査方法の効果について説明する。
本実施形態では、１つのアームＡ０を複数のサイリスタモジュールに分割して、分割されたサイリスタモジュールに対応するＯＲ回路およびＡＮＤ回路を含む論理回路２５３を含んでいる。そのため、分割されたサイリスタモジュールごとに対応する光ファイバの光量伝送の劣化の有無を判定することができる。
【００９１】
高圧直流送電に用いられる他励式の電力変換装置等の場合には、高電圧の入出力に対応するために、アームには、多数のサイリスタを直列接続している。また、このような電力変換装置は、多相のアームを有しており、たとえば６相のアームや１２相のアーム等を含んでいる。このような場合に、アームごとに検査を行い、劣化判定されたときには、その劣化判定された光ファイバを特定するのにも、多数の光ファイバの個別チェックが必要となる。
【００９２】
本実施形態の電力変換装置の検査方法では、分割されたサイリスタモジュールの直列個数を適切に設定することによって、サイリスタモジュール内での対応する光ファイバの劣化を効率よく検出することができる。劣化検出されたサイリスタモジュールごとに、たとえば個別チェックを行うことによって、確実に劣化した光ファイバを特定することが可能になる。
【００９３】
第３の実施形態においては、アームＡ０中のサイリスタモジュールＭ−１〜Ｍ−ｍの良否判定後に、劣化が検出されたサイリスタモジュールに対して、光ファイバごとに劣化判定を行う。上述したように、大電力容量の電力変換装置では、多相のアームを有しているので、あらかじめ電力変換装置中のアーム単位の光ファイバの劣化判定を行うようにしてもよい。具体的には、各アーム中のサイリスタモジュールの良否判定を行う前に、各アームの光ファイバの良否判定を行い（第２の実施形態に対応）、あらかじめ劣化した光ファイバを含むアームを抽出する。そのアームに対して、サイリスタモジュールごとの光ファイバの劣化判定を行い、続いて光ファイバごとの劣化判定を行うようにしてもよい。
【００９４】
以上説明した実施形態によれば、光ファイバを取り外すことなく、光ファイバの劣化判定を行う電力変換装置の検査方法を実現することができる。
【００９５】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００９６】
１，１０１  交流信号発生装置、２  波形観測装置、１０  電力変換装置、２０  電力変換器、２２−１〜２２−ｎ  光変換回路、３０−１〜３０−ｎ  光ファイバ、５０  ゲート制御装置、５２−１〜５２−ｎ  光電変換回路、５３−１〜５３−ｎ  信号出力端子、１５３，２５３  論理回路
【図１】
2019041500.tif 000003
【図２】
2019041500.tif 000004
【図３】
2019041500.tif 000005
【図４】
2019041500.tif 000006
【図５】
2019041500.tif 000007
【図６】
2019041500.tif 000008
【図７】
2019041500.tif 000009
【図８】
2019041500.tif 000010
【図９】
2019041500.tif 000011